(57)【要約】      （修正有）【課題】出力及びコストパフォーマンス効率を増加させる風力発電装置を提供する。【解決手段】中空の塔２と塔外側に固定された回転ブレード１０ａ、１０ｂからなる風力発電装置１であり、塔内には支持軸２３が設置されており、上下方向に設置された少なくとも上部垂直軸ブレード２４ａと下部垂直軸ブレード２４ｂが支持軸に枢動可能に接続され、上部垂直軸ブレードと下部垂直軸ブレードの回転方向は、反対方向に回転するように構成されており、誘導ステータ磁場２７は、上部垂直軸ブレードと下部垂直軸ブレードの間の塔に固定され、上部垂直軸ブレードと下部垂直軸ブレードの隣接する端面には、それぞれ、上部垂直軸ブレードと下部垂直軸ブレードと一緒に回転する軸流ブレード２８ａ、２８ｂが設けられており、軸流ブレードは磁化されてローター磁場２９ａ、２９ｂを形成し、誘導ステータ磁場とローター磁場は相互誘導と磁気切断によって発電する。【選択図】図５
0003230662.tif 000002
【実用新案登録請求の範囲】
【請求項１】
中空の塔と前記塔外側に固定された回転ブレードからなる風力発電装置であり、
前記塔内には支持軸が設置されており、上下方向に設置された少なくとも上部垂直軸ブレードと下部垂直軸ブレードが前記支持軸に枢動可能に接続され、前記上部垂直軸ブレードと前記下部垂直軸ブレードの回転方向は、反対方向に回転するように構成されており、誘導ステータ磁場は、前記上部垂直軸ブレードと前記下部垂直軸ブレードの間の前記塔に固定され、前記上部垂直軸ブレードと前記下部垂直軸ブレードの隣接する端面には、それぞれ、前記上部垂直軸ブレードと前記下部垂直軸ブレードと一緒に回転する軸流ブレードが設けられており、前記軸流ブレードは磁化されてローター磁場を形成し、前記誘導ステータ磁場と前記ローター磁場は相互誘導と磁気切断によって発電し、電気を生成し、前記塔の外周壁が対応する、前記上部垂直軸ブレードと前記下部垂直軸ブレードの位置に風向き開口部が設けられ、前記塔の外側にある横風は、前記風向き開口部から前記塔に入り、前記上部垂直軸ブレードと前記下部垂直軸ブレードを押して回転させることができ、前記上部垂直軸ブレードと前記下部垂直軸ブレードの運動エネルギーを発電機に接続して発電することを特徴とする、風力発電装置。
【請求項２】
前記上部垂直軸ブレードの上端には、前記上部垂直軸ブレードと同心円状に連結された上部軸流ブレードが設置され、前記下部垂直軸ブレードの下端には、前記下部垂直軸ブレードと同心円状に連結された下部軸流ブレードが設置され、塔内の前記上部軸流ブレードと前記下部軸流ブレードによって押される軸流風の方向は一定であることを特徴とする、請求項１に記載の風力発電装置。
【請求項３】
前記塔の外周壁は前記風向き開口部の両側に対応し、前記塔の外側に向かって斜めに伸びる風吸引プレートが設置されてることを特徴とする、請求項１に記載の風力発電装置。
【請求項４】
前記塔の下端の外周壁にはダウンベントが設置されており、要件に応じて開閉できることを特徴とする、請求項１に記載の風力発電装置。
【請求項５】
前記塔の前記支持軸は、上下に別々に設置された２つの補助軸流ブレードに枢接され、前記２つの補助軸流ブレードの回転は反対であり、軸流風を押す方向は同じであり、２つの前記補助軸流ブレードの回転運動エネルギーは、ギア機構によって駆動され、発電機を駆動して発電することを特徴とする、請求項４に記載の風力発電装置。
【請求項６】
前記塔の前記支持軸は、上下に別々に設置された２つの補助軸流ブレードに枢接され、前記２つの前記補助軸流ブレードの回転は反対であり、軸流風を押す方向は同じであり、２つの補助軸流ブレードの表面が磁化されてローター磁場を形成し、前記２つの補助軸流ブレードの間に誘導ステータ磁場が配置され、前記ローター磁場の回転により、前記誘導ステータ磁場との相互誘導と磁気切断により発電することを特徴とする、請求項４に記載の風力発電装置。
【請求項７】
前記塔の外周は複数の支柱で囲まれ、前記支柱の側壁は前記塔の外周壁に接続されていることを特徴とする、請求項１に記載の風力発電装置。
【請求項８】
前記誘導ステータ磁場は、グリッド穴形状の金属板と前記金属板に巻かれた励起コイルで構成されていることを特徴とする、請求項１に記載の風力発電装置。
【請求項９】
前記誘導ステータ磁場は、グリッド穴形状の金属板と前記金属板に巻かれた励起コイルで構成されていることを特徴とする、請求項６に記載の風力発電装置。
【請求項１０】
前記誘導ステータ磁場は、２つの前記補助軸流ブレードの設置位置に対応する、前記塔の内壁に取り付けられた永久磁石であり、前記永久磁石の中央から前記補助軸流ブレードの間に水平に伸びている一組の水平励起コイルのセットがあり、前記一組の水平励起コイルの上下に、垂直励起コイルがそれぞれ永久磁石から伸びて、２つの前記垂直励起コイルは、それぞれ２つの前記補助軸流ブレードの隣接する側に配置されていることを特徴とする、請求項６に記載の風力発電装置。
【請求項１１】
前記上部垂直軸ブレードと前記下部垂直軸ブレードの内部には、リンクされた半桶型補助ブレードが配置され、前記半桶型補助ブレードにより、前記塔の外側から風向き開口部を通って塔に入る横方向の風を引き受けることを特徴とする、請求項１に記載の風力発電装置。
【請求項１２】
前記ダウンベントは、要件に応じて、光透過性接続管を介して別の風力発電機の塔の下端と連通できることを特徴とする、請求項４に記載の風力発電装置。
【請求項１３】
前記塔の内部には二酸化炭素を吸収できるフィルター材を有することを特徴とする、請求項４に記載の風力発電装置。
【請求項１４】
前記支持軸は管状であり、前記塔の内側と外側の管で構成され、前記支持軸の上端の内側に軸流ファンが配置され、いくつかの空気出口は前記塔の内側と連絡するために下端の外壁に配置されていることを特徴とする、請求項４に記載の風力発電装置。
【考案の詳細な説明】
【技術分野】
【０００１】
本考案は一種の風力発電装置であり、特に風力発電の出力電力およびコストパフォーマンス指数（ＣＰＩＮＤＥＸ）を増加させることができるものである。
【背景技術】
【０００２】
風力発電機は、回転軸の方向に従って、垂直軸風力発電機５（図１）および水平軸風力発電機６（図２）に大まかに分けられる。風力発電機の構造は、主に塔、ブレード、発電機の３つの部分で構成されている。なかでも、塔の空間と構造の機能は、１種類のブレードとジェネレーターをサポートするためにのみ使用されており、他の用途に使用されていないのは残念である。
【考案の概要】
【考案が解決しようとする課題】
【０００３】
本考案者は、塔が占める空間、構造、および構成は、発電の出力電力を増加させるのに十分な他の機能を発揮する余地があると考えており、重ねて研究することにより、それが改善されており、本考案に至った。
【課題を解決するための手段】
【０００４】
上記課題を解決するために、本考案の主な目的は、塔の構造設計、空間の使用、およびその風力機能を変更することである。また、ブレードと発電装置の設計、構成、およびシステムの組み合わせにより、風力発電機の出力とコスト対パフォーマンス効率を向上させるためである。
【０００５】
本考案の主な特徴は、風力発電機の塔に支持軸が設置され、塔に設置された支持軸が、上下に排列された上部垂直軸ブレードおよび下部垂直軸ブレードと枢動可能に接続されることである。塔の外周壁は上下２つの垂直軸ブレードに対応し、風向き開口部を有し、横風は風向き開口部から塔に入り、上下の垂直軸ブレードを押して回転させることができる。上下の垂直軸ブレードの回転方向は反対方向に回転するように構成されているので、上下の垂直軸ブレードの回転トルクは互いに釣り合っている。また、上下の垂直軸ブレードは発電機ユニットに接続し、出力する回転力で発電する。この設置により、従来の技術で説明した塔によって元々支持されていた１つの風力ブレードおよび発電機に加えて、複数のブレードおよび発電機を設置し、塔内の空力設計を利用して全体的な発電効果を高めることが可能である。
【０００６】
上記の目的および効果を達成するために本発明によって採用される技術的手段および構造に関して、以下の実施形態が図示とともに提供され、説明は以下の通りである。
【考案の効果】
【０００７】
本考案は複数のブレードおよび発電機を設置し、塔内の空力設計を利用して全体的な発電効果を高めることが可能である。
【図面の簡単な説明】
【０００８】
【図１】従来の垂直軸風力発電機の外観図である。
【図２】従来の水平軸風力発電機の外観図である。
【図３】垂直軸風力発電機に適用される本考案の実施形態の構造の斜視図である（塔部分が長すぎて切断されている）。
【図４】図３の部分拡大図である。
【図５】垂直軸風力発電機に適用される本考案の実施形態の構造断面図である。
【図６】図５の部分拡大図である。
【図７】図６の７s-７s断面図である。
【図８】図６の上面図である。
【図９】水平軸風力発電機に適用される本考案の実施形態の構造の斜視図である。
【図１０】本考案の実施形態の垂直軸風力発電機および水平軸風力発電機の塔は、接続管によって連通されている構造図である。
【図１１】本考案の実施形態では、水平軸風力発電機および複数の垂直軸風力発電機の塔は、接続管によって連通されている構造図である。
【図１２】本考案誘導ステータ磁場の実施形態における別の構造図である。
【図１３】本考案の実施形態における支持軸の中空管状構造図である。
【考案を実施するための形態】
【０００９】
垂直軸風力発電機１に適用される本考案の実施形態の構造図である図３〜８を参照されたい。垂直軸風力発電機１は、中空である塔２、塔２の上部の上に支持された一対の上部および下部回転ブレード１０ａ、１０ｂを含む。回転ブレード１０ａ、１０ｂは、自然風によって回転するように駆動することができ、発電機（図には示されていない）に接続されて電気を生成する。
【００１０】
本考案の主な改良点は次のとおりである。
【００１１】
塔２は、内部に中空スペース２０を有する中空の柱である。塔２の外周は、複数の支柱２１に囲まれており、支柱２１の側壁は、塔２の外周壁２２に接続されている。このようにして、塔２の構造強度が向上し、それにより、塔２の外周壁２２を構成するプレート材料の材質の要件が低減され、コストが削減される。不動の支持軸２３が中空スペース２０の内側に設置され、支持軸２３の上端が塔２の上部開口から延伸して、前述の回転ブレード１０ａ、１０ｂを枢動可能に接続する。塔２の下端に位置する外周壁２２は、塔２内の空気力学的エネルギーを増加させるために開閉することができる複数のダウンベント２２０を備えている。さらに、塔２の底部外周壁２２は光透過性であるため、塔２内の空気を加熱することができ、塔２の下の熱風が上向き上昇する熱風の原理によって、ダウンベント２２０から塔２に入ると、熱風が煙突効果で上向きに移動する。あるいは、塔２内の空気は、電力によって下向きに駆動され、ダウンベント２２０を通して適用するために別の塔２に伝達される。
【００１２】
塔２の内側上端の支持軸２３上で、少なくとも２つの上下排列の上部垂直軸ブレード２４ａおよび下部垂直軸ブレード２４ｂが、枢動可能に接続されている（図３および図４）。上部および下部垂直軸ブレード２４ａ、２４ｂのそれぞれは、対応する垂直軸ブレード２４ａ、２４ｂに連結されたハーフバレル形状の補助ブレード２５ａ、２５ｂを備えている。ハーフバレル形状の補助ブレード２５ａ、２５ｂは、より多くの横方向の風を吸収し、上下の垂直軸ブレード２４ａ、２４ｂの回転を開始するのを助け、気流を導くことができる。上下の垂直軸ブレード２４ａ、２４ｂの回転方向は、反対方向に回転するように構成されているので、２つの回転トルクは釣り合っている。さらに、上下の垂直軸ブレード２４ａ、２４ｂの回転運動エネルギーは、ギア機構によって発電機に接続されて、個別に発電することができる。上下の垂直軸ブレード２４ａ、２４ｂの回転速度を上げるために、上下の垂直軸ブレード２４ａ、２４ｂのブレード形状は、
煙突効果によって塔２から上方に移動する風によって押して回転するように設計することができる。上下の垂直軸ブレード２４ａ、２４ｂのブレード形状はまた、設計おいて、煙突効果で上方に移動する塔２からの風によって回転される効果を有することができる。
【００１３】
塔２の外周壁２２は、上下の垂直軸ブレード２４ａ、２４ｂに対応する位置に、風向き開口部２６を備えている（図７に示すように、少なくとも１つの風向き開口部を有し、本実施形態では複数の風向き開口部である）。塔２の外側を自然に流れる風は、風向き開口部２６を通って塔２に入り、上下の垂直軸ブレード２４ａ、２４ｂおよび２つの補助ブレード２５ａ、２５ｂを押して回転させることができる。風量を増加させるために、風向き開口部２６に対応する外周壁２２の両側には、図７に示すように、塔２の外側に傾斜した風吸引プレート２２１が設置されている。
【００１４】
上下隣接する上部および下部垂直軸ブレード２４ａ、２４ｂの間に、水平に設置された誘導ステータ磁場２７が塔２に固定されている。誘導ステータ磁場２７は、グリッド穴形状の金属板２７０と、金属板２７０に巻かれた励起コイル２７１とを含む（図４）。金属板２７０の外円は、塔２の内壁によって支持され、位置決めされている。誘導ステータ磁場２７に面する上部および下部垂直軸ブレード２４ａ、２４ｂの端面は、それぞれ、上部および下部垂直軸ブレード２４ａ、２４ｂと共に回転する軸流ブレード２８ａ、２８ｂを備えている（すなわち、軸流ブレード２８ａ、２８ｂが回転するとき、塔２の中空スペース２０における風の流れの方向は、軸方向に駆動することができる）。２つの軸流ブレード２８ａ、２８ｂは、取り付けられた垂直軸ブレード２４ａ、２４ｂと共に回転する。２つの軸流ブレード２８ａ、２８ｂの回転方向は反対であるが、ブレードの角度は、風力を押す方向が一定になるように設計されている（例えば、風方向は上向きに一定である）。２つの軸流ブレード２８ａ、２８ｂは磁化されてローター磁場２９ａ、２９ｂを形成し、誘導ステータ磁場２７は、２つのローター磁場２９ａ、２９ｂに対向して、ローター磁場２９ａ、２９ｂの回転を介して、誘導ステータ磁場２７と互いに誘導し、磁気的に切断して、電気を生成する。発電機能は、２つのローター磁場２９ａおよび２９ｂを反対方向に回転させることによって生成される電力を増加させる。さらに、上部垂直軸ブレード２４ａの上端には、上部垂直軸ブレード２４ａと共回転する上部軸流ブレード２８ｃが設けられ、下部垂直軸ブレード２４ｂの下端は、下部垂直軸ブレード２４ｂと結合して連動する下部軸流ブレード２８ｄを備えている。上部軸流ブレード２８ｃおよび下部軸流ブレード２８ｄは、塔２の内部軸流風の押し込みを増加させるように設置されている。
【００１５】
図３および５に示すように、中空スペース２０の支持軸１２の下に位置し、上部および下部とは別に設置された２つの補助軸流ブレード２８ｅ、２８ｆが枢動可能に接続されている。２つの補助軸流ブレード２８ｅ、２８ｆは、前述の２つの軸流ブレード２８ａ、２８ｂのように、２つの補助軸流ブレード２８ｅ、２８ｆのブレード角度は、軸流風を受けるときに反転するように設計されているので、２つの回転トルクは釣り合い、風向は同じであり、ブレードは磁化されてローター磁場２９ｃ、２９ｄを形成する。誘導ステータ磁場２７ａは、２つの補助軸流ブレード２８ｅおよび２８ｆの間に設置され、誘導ステータ磁場２７ａは、上記の誘導ステータ磁場２７と同じである。それは、グリッド穴形状の金属板２７０ａおよび金属板２７０ａに巻かれる励起コイル２７１ａからなる。ローター磁場２９ｃおよび２９ｄの回転により、誘導ステータ磁場２７ａと互いに誘導し、磁気的に切断し、電気を生成する。さらに、ローター磁場２９ｃおよび２９ｄの回転方向は反対であり、これは、誘導されたステータ磁場２７ａとの相互誘導によって生成される電力を増加させることができる。さらに、２つの補助軸方向流れブレード２８ｅ、２８ｆの回転は、ダウンベント２２０から塔２に入る軸方向に流れる風の流速を補助することができ、これは、小さな竜巻効果のようである。２つの補助軸流ブレード２８ｅ、２８ｆの回転は、上記の設計と反対であり、これは、ローター磁場２９ｃ、２９ｄと誘導されたステータ磁場２７ａとの間の相互誘導および磁気切断量を増加させ、それによって発電効果を増加させることができる。さらに、２つの補助軸流ブレード２８ｅおよび２８ｆは、上記のように反対方向を有するが、ブレードの形状は、一定の風向の機能を達成するように設計することができる。さらに、その押し込みの風向は、上記の軸流ブレード２８ａ、２８ｂによって押される風向と同じ方向に制限され、その結果、軸流ブレード２８ａ、２８ｂおよび２つの補助軸流ブレード２８ｅ、２８ｆは、塔２内の軸方向に流れる風の流動スピードをリレーで押す効果を有する。次に、誘導ステータ磁場２７ａは、２つの補助軸流ブレード２８ｅ、２８ｆの間で除去することができ、２つの補助軸流ブレード２８ｅ、２８ｆの回転運動エネルギーは、ギア機構によって発電機を駆動して発電し、それによって発電効果を増大させることができる。
【００１６】
図３および５に示されるように、本考案の上記実施形態が、垂直軸風力発電機１に適用される。塔２の上に露出した回転ブレード１０ａ、１０ｂが自然風によって押されて回転し、回転動力は発電機に接続されて発電することを除いて、塔２の中空スペース２０に設置される上下の垂直軸ブレード２４ａ、および２４ｂも回転電力によって、接続された個々の発電機に接続すると発電することができる。２つの軸流ブレード２８ａ、２８ｂは磁化されることにより、ローター磁場２９ａ、２９ｂを形成し、誘導ステータ磁場との相互誘導２７、磁気切断も発電することができ、２つの軸流ブレード２８ｅ、２８ｆは磁化されることにより、ローター磁場２９ｃ、２９ｄを形成し、誘導ステータ磁場との相互誘導２７、磁気切断も発電することができる。
したがって、本考案は、発電量を増加させる効果を有する。さらに、本考案は、塔２の下の熱風がダウンベント２２０を通って塔２に入ることができるように、塔２の底部外周壁２２上に複数のダウンベント２２０を備えている。煙突効果の原理に基づいて、塔２内の軸流風は、補助軸流ブレード２８ｅ、２８ｆ、下部軸流ブレード２８ｄ、２つの軸流ブレード２８ａ、２８ｂ、および上部軸流ブレード２８ｃを介して下から上に中継され、小さな竜巻効果のように、軸方向の風が非常に大きく、塔２方向の風速を上げて、発電効果を向上させることができる。
【００１７】
次に、水平軸風力発電機３に適用される本考案の実施形態の構造図である図９を参照されたい。これは、塔２の構造および塔２の内部機械構成が、図３および５のものと同じである。
【００１８】
図１０に示すように、垂直軸風力発電機１と水平軸風力発電機３の塔２との間の下端は、ダウンベント２２０で光透過性接続管４によって接続される。さらに、塔２の軸流風向を設計することができ、水平軸風力発電機３の塔内の軸流風向は下向き（矢印Ａで示す）であり、一方、垂直軸風力発電機１の塔２内の軸流風向は上向きである。（矢印Ｂで示す）。水平軸風力発電機３の塔２内の軸流風は、光透過性接続管４の外温によって加熱された後、ベルヌーイの法則（Bernoulli's Law）に従って垂直軸風力発電機１の塔に流入し、垂直軸風力発電機１の塔内の風量を増やすことができる。そして、煙突効果により、塔２の垂直軸ブレード２４ａ、２４ｂ、軸流ブレード２８ａ、２８ｂ、補助軸流ブレード２８ｅ、２８ｆなどの風量と回転速度を上げて、発電効果を高める。または、図１１に示すように、１つの水平軸風力発電機３と複数の垂直軸風力発電機１との間のダウンベント２２０は、接続管４で接続され、あるいは複数の垂直軸風力発電機１と複数の水平軸風力発電機との間のダウンベント２２０も接続管４で接続されている。このように、風向を順方向に設定することにより、異なる塔２内の風を隣接する塔２内に導入し、風力発電効果を高めることができる。
【００１９】
次に、図５に示めされる２つの補助軸流ブレード２８ｅ、２８ｆおよび誘導ステータ磁場２７ａの構造は、図１２に示されるようなものであり得る。２つの補助軸流ブレード２８ｅ、２８ｆは逆回転であり、磁化されることによりＳ極およびＮ極を有する。誘導ステータ磁場２７ａの構造は図１２に示すように、永久磁石２７１ｃのリングが、２つの補助軸流ブレード２８ｅ、２８ｆの設置位置に対応する塔２の内壁に取り付けられている。永久磁石２７１ｃの中央から２つの補助軸流ブレード２８ｅと２８ｆとの間で水平に延びる一組の水平励起コイル２７１ｂを有し、水平励起コイル２７１ｂは、水平励起コイル２７１ｂの上下の永久磁石２７１ｃから垂直励起コイル２７１ｂを延伸し、２つの垂直励起コイル２７１ｂは、それぞれ、２つの補助軸流ブレード２８ｅおよび２８ｆに隣接して設置されている。２つの磁化された補助軸流ブレード２８ｅ、２８ｆが回転すると、それらは励起コイル２７１ｂに対して移動し、磁力線の切断により電気を生成し、２つの補助軸流ブレード２８ｅ、２８ｆは反対方向に回転し、これにより発電を増加させることができる。
【００２０】
さらに、二酸化炭素を吸収することができるフィルター材料を塔２の内部に設置して、該フィルター材料、例えば重炭酸ナトリウムまたは炭酸カリウムなどは空気または排気ガスから炭素を収集することができる(carbon capture)。空気または排気ガスが塔２の内部空間に引き込まれると、それは上記の濾過材料によって濾過されて排出され、大気中および人の排出する二酸化炭素含有量を低減することができる。また、風によって生成された電気は海水を電気分解して水酸化ナトリウム、水素、塩素を生成し、前者は炭素を削減し、水素は燃料電池として使用でき、塩素は工業材料として使用され、その使用を強化することができる。図１３に示すように、支持軸２３は管状に設定することもでき、塔２とは内側と外側の管（上部軸流ブレード２８ｃ、誘導ステータ磁場２７、２７ａ、上部垂直軸ブレード２４ａ、下部垂直軸ブレード２４ｂ等のコンポーネントは省略されて表示されていない）に設置される。さらに、軸流ファン５は、支持軸２３上部の内側に設置され、下端の外壁は、塔２の内側に連絡するいくつかの空気出口５０を備えており、軸流ファン５は、支持軸２３の上の冷気を支持軸２３内に運ぶことができる。次に、冷気は支持軸２３を通って下向きに流れ、次に空気出口５０から流出して塔２と支持軸２３との間に集まり、塔２の下端から上向きに流れる風エネルギーを増加させる。
【００２１】
要約すると、本考案は実際に所望の機能および目的を達成することができ、当業者が上記詳細な記述に基づいて実施することが可能であるため、上記の実施例より、同等の構造における変化は、依然として本考案の権利の範囲から逸脱していない。即ち、本考案に関連する同じ創造的な精神において行われた変更または改変は、本考案の保護の範囲に含まれるべきである。
【符号の説明】
【００２２】
１      垂直軸風力発電機
１０ａ  上部回転ブレード
１０ｂ  下部回転ブレード
１２    支持軸
２      塔
２０    中空スペース
２１    支柱
２２    外周壁
２２０  ダウンベント
２２１  風吸引プレート
２３    支持軸            
２４ａ  上部垂直軸ブレード
２４ｂ  下部垂直軸ブレード    
２５ａ  補助ブレード
２５ｂ  補助ブレード
２６    風向き開口部  
２７    誘導ステータ磁場
２７ａ  誘導ステータ磁場
２７０    金属板
２７０ａ  金属板
２７１    励起コイル
２７１ａ  励起コイル
２７１ｂ  励起コイル
２７１ｃ  永久磁石
２８ａ    軸流ブレード
２８ｂ    軸流ブレード
２８ｃ    上部軸流ブレード
２８ｄ    下部軸流ブレード
２８ｅ    補助軸流ブレード
２８ｆ    補助軸流ブレード
２９ａ    ローター磁場
２９ｂ    ローター磁場
２９ｃ    ローター磁場
２９ｄ    ローター磁場
３        水平軸風力発電機
４        接続管
５        軸流ファン
５０      空気出口
【図１】
0003230662.tif 000003
【図２】
0003230662.tif 000004
【図３】
0003230662.tif 000005
【図４】
0003230662.tif 000006
【図５】
0003230662.tif 000007
【図６】
0003230662.tif 000008
【図７】
0003230662.tif 000009
【図８】
0003230662.tif 000010
【図９】
0003230662.tif 000011
【図１０】
0003230662.tif 000012
【図１１】
0003230662.tif 000013
【図１２】
0003230662.tif 000014
【図１３】
0003230662.tif 000015